(57)【特許請求の範囲】
【請求項１】
金属製薄板を巻き加工した蓋蝶番片を有する蓋体と容器本体との間を、蝶番軸を介し開閉可能に接続するコンパクト容器において、
蝶番軸がＵ字状に屈曲されると共に一端を蓋蝶番片に挿入する軸着部、他端を容器本体に位置決め固定される保持部を有し、容器本体が上方を開口する器外枠と該器外枠内に収納固定される器内枠からなり、
前記器内枠が開口する上面に平行して蝶番軸の保持部先端を挿入設定する軸設定孔と外周に突出する内枠縁の下面に前記蝶番軸の上方回動を阻止する第一の当接部を有し、
前記器外枠が外周に突出する外枠縁の上面に前記蝶番軸の下方回動を阻止する第二の当接部と、前記軸設定孔および蓋蝶番片に挿入された蝶番軸の軸方向抜けを防止あるいは蝶番軸の一部を覆う抜止部を有し、
前記蝶番軸の保持部を器外枠と器内枠との間で固定することを特徴とするコンパクト容器の蝶番機構。
【請求項２】
金属製薄板を巻き加工した蓋蝶番片を有する蓋体と容器本体との間を、蝶番軸を介し開閉可能に接続するコンパクト容器において、
蝶番軸がＵ字状若しくはクランク状のどちらかに屈曲されると共に一端を蓋蝶番片に挿入する軸着部、他端を容器本体に位置決め固定される保持部を有し、容器本体が上方を開口する器外枠と該器外枠内に収納固定される器内枠からなり、
前記器内枠が開口する上面に平行して蝶番軸の保持部先端を嵌合する軸嵌合部と内枠縁の下面に前記蝶番軸の上方回動を阻止する第一の当接部を有し、
前記器外枠が外周に突出する外枠縁の上面に前記蝶番軸の下方回動を阻止する第二の当接部と前記軸嵌合部および蓋蝶番片に挿着された蝶番軸の軸方向抜けを防止あるいは蝶番軸の一部を覆う抜止部を有し、
前記蝶番軸の保持部を器外枠と器内枠との間で固定することを特徴とするコンパクト容器の蝶番機構。
【発明の詳細な説明】
【技術分野】
【０００１】
本発明はＵ字状若しくはクランク状のどちらかに屈曲した蝶番軸を用いたコンパクト容器に関する。
【背景技術】
【０００２】
従来から金属製のコンパクト容器は、容器本体および蓋体の端部にそれぞれ筒状の器蝶番片と蓋蝶番片を巻き加工して成形し、この器蝶番片および蓋蝶番片に棒状の蝶番軸を貫通して、蓋体と容器本体を開閉自在に連結する構造が採用されてきた。
【０００３】
しかし、化粧品容器の蝶番機構の場合、蝶番軸の一部が外部に露出することによるデザイン上の不統一や違和感が生じないことが求められてきた。そのためコンパクト容器の材質を成形形状の自由度のあるプラスチックに変えて蝶番軸の切端面が見えないようにしたものも多く出回っている。しかし、金属化粧品容器の独特の高級感はプラスチック表面に印刷、塗装あるいはコーティングする加飾表現でも表現することは困難である。またプラスチックは機械的強度が小さく強度確保のために厚肉設計をせざるを得ない。これは軽量化、薄型化、小型化を目指そうとする場合、時には相容れないものとなる。こうしたことからアルミなどの金属を用いた化粧品容器は長く用いられてきている。
【先行技術文献】
【特許文献】
【０００４】
【特許文献１】実開平０２−３２７１７号公報（第２ページ、図２）
【特許文献２】実開平０４−５６４１１号公報（第２ページ、図３）
【発明の概要】
【発明が解決しようとする課題】
【０００５】
特許文献１、特許文献２のコンパクトケースは蓋外枠の蓋蝶番片と器外枠の器蝶番片を、蝶番軸を介して開閉自在に連結するもので、蝶番軸は端部をクランク状又はＵ字状に屈曲させて保持部を形成している。保持部は器外枠と器蝶番片の間に保持されるため、蝶番軸は外部に露出せず見栄えの良いものとなっている。
【０００６】
また、器蝶番片は蝶番軸の保持部を回動不能に保持しているため、蓋体のフリーストップ機構および蓋体の開放操作感に作用する回動抵抗は蓋蝶番片と蝶番軸の間でのみ発生することから、最適な回動抵抗を容易に作り出せる。
【０００７】
さらに、特許文献１は蝶番軸の保持部を器外枠の底面に接触させる事により、蓋蝶番片が蝶着する蝶番軸の蝶番部の位置決めを可能にする。しかし、蝶番軸の器蝶番片への固定作業は、蓋外枠の蓋蝶番片に蝶番軸の蝶番部を挿着した状態で蝶番軸の保持部を器蝶番片に挿着し器蝶番片を所定形状に折り曲げることで位置決め固定する。そのため蝶番軸の器蝶番片への固定作業は大きな蓋外枠を共に把持する必要があり、所定位置への設定が困難となり作業に手間がかかっていた。器蝶番片の折り曲げ・組立て作業は器蝶番片の折れ曲がり位置の変動、内側への倒れ込み等による不良発生や作業効率の低下を招く原因となっていた。
【０００８】
また、特許文献２は軸受け部と膨出部の幅を保持部の幅よりも狭く構成し蝶番軸の保持部を器蝶番片に挿入しようとする場合、蝶番軸を膨出部壁面に弾性を有して当接保持させ蓋蝶番片が蝶着する蝶番軸の蝶番部の位置決めを可能にする。しかし、蓋蝶番片に嵌合する蝶番軸の保持部を軸受け部に装着する際に大きな力を必要とし、軸受け部の変形不良や組立て作業に高技能を要求することになる。こうした作業は組立て作業能率を低下させる原因となる。
【０００９】
本発明コンパクト容器は容器本体を器内枠、器外枠の二体に分け、クランク状又はＵ字状に屈曲する蝶番軸の保持部を器内枠、器外枠の間で挟持固定することで組み立てやすくし、作業能率の向上を図ることを目的とする。
【００１０】
また、本発明コンパクト容器は蝶番軸の露出をなくすると共に蓋蝶番片の容器本体側面への目立つ突出を抑えることでシンプルなデザインの実現を図ることを目的とする。
【課題を解決するための手段】
【００１１】
本発明コンパクト容器は蝶番軸がＵ字状若しくはクランク状のどちらかに屈曲されると共に一端を蓋蝶番片に挿入する軸着部、他端を容器本体に位置決め固定される保持部を有し、容器本体が上方を開口する器外枠と器外枠内に収納固定される器内枠からなり、保持部を器外枠と器内枠との間で位置決め固定するものである。
【００１２】
また、蝶番軸がＵ字状をなす構成において、器内枠が開口する上面に平行して蝶番軸の保持部先端を挿入設定する軸設定孔と外周に突出する内枠縁の下面に蝶番軸の上方回動を阻止する第一の当接部を有し、器外枠が外周に突出する外枠縁の上面に蝶番軸の下方回動を阻止する第二の当接部と前記軸設定孔および蓋蝶番片に挿入された蝶番軸の軸方向抜けを防止あるいは蝶番軸の一部を覆う抜止部を有し、蝶番軸の保持部を器外枠と器内枠との間で固定するものである。
【００１３】
また、蝶番軸がＵ字状若しくはクランク状のどちらかをなす構成において、器内枠が開口する上面に平行して蝶番軸の保持部先端を嵌合する軸嵌合部と内枠縁の下面に蝶番軸の上方回動を阻止する第一の当接部を有し、器外枠が外周に突出する外枠縁の上面に前記蝶番軸の下方回動を阻止する第二の当接部と軸嵌合部および蓋蝶番片に挿着された蝶番軸の軸方向抜けを防止あるいは蝶番軸の一部を覆う抜止部を有し、蝶番軸の保持部を器外枠と器内枠との間で固定するものである。
【発明の効果】
【００１４】
本発明コンパクト容器にあっては次に記載する効果を奏する。本発明コンパクト容器は蓋外枠を開閉自在に連結する蝶番軸の中央部をクランク状又はＵ字状に屈曲させて保持部を構成している。この保持部を器内枠と器外枠の間で挟持することで位置決め固定する構造としたため組立て調整を容易にでき、安定な組立て精度を維持できる効果がある。
【００１５】
また、蝶番軸の保持部を器内枠と器外枠の間で脱落不能に保持すると共に器外枠に抜止部を設け蓋蝶番片の側部に突出する蝶番軸を覆うため、針金状の蝶番軸を外観から隠すことができる。そのため蓋体、容器本体の審美性を充分に引き出せる効果がある。
【図面の簡単な説明】
【００１６】
【図１】本発明にかかるコンパクト容器の斜視図である。
【図２】本発明にかかる蝶番部の第一の説明図である。
【図３】本発明にかかる蝶番部の第二の説明図である。
【図４】本発明に用いる蝶番軸の説明図である。
【図５】本発明にかかる蝶番軸の器内枠への装着説明図である。
【発明を実施するための形態】
【００１７】
以下図面に基づき本発明を説明する。図１は化粧品あるいは化粧用刷毛を収納する本発明にかかるコンパクト容器の斜視図である。図１（Ａ）は閉蓋したコンパクト容器、図１（Ｂ）は開蓋し内部の収納状態を例示したコンパクト容器を示す。
【００１８】
蓋体１の内面には図１（Ｂ）に示されるように鏡１３が貼り付けられコンパクト容器を使用する人の顔が自分で見られるように貼着されている。容器本体３はアプリケータ７１および粉状化粧料７３等を収納する器内枠３１と器内枠３１を外装し構造強度と共に装飾性を有する器外枠５１で構成される。
【００１９】
図１（Ｂ）において蓋体１の先端に設けられたフック片６１と、容器本体３のフック片６１と相対する位置に設けられたロック突片６３、プッシュピース６５は蓋体１と容器本体３を閉鎖する等の公知のロック機構を構成する。フック片６１は蓋体１のロック突片６３に係止され蓋体１と容器本体３とを閉蓋する。またプッシュピース６５は手指で蓋蝶番片１１側に押圧摺動されることによりフック片６１とロック突片６３との閉鎖を解除し矢印Ａ方向の開蓋可能にする。
【００２０】
図１（Ａ）、図１（Ｂ）に示される抜止部９１は円筒状の蓋蝶番片１１に嵌合する蝶番軸５ａ又は蝶番軸５ｂの抜けやガタつきを防止すると共に蓋蝶番片１１からはみ出す蝶番軸５ａ又は蝶番軸５ｂを図１（Ａ）におけるコンパクト容器の外方向から被覆している。
【００２１】
図１（Ａ）において、蓋体１のひとつの外側面には蓋蝶番片１１が設けられ、容器本体３の蓋蝶番片１１に相対する外側面には蓋蝶番片１１を挟むように一対の抜止部９１が設けられている。蓋体１と容器本体３の蓋蝶番片１１に相対する外側面は段差がないよう面位置を合わせられている。蓋蝶番片１１の中心軸が蓋体１、器外枠５１の外側面に一致するよう配置されている。
【００２２】
図２は本発明にかかるコンパクト容器蝶番部の第一の説明図である。記号３２ａは側部に軸設定孔３３を設けた器内枠３１の一例である。図２（Ａ）は、図２（Ｂ）に示される軸設定部９５ａ外側面に沿った断面で図１（Ａ）における仮想平面Ｆを矢印Ｓ方向から見た断面図を示す。図２（Ｂ）は図２（Ａ）にかかるコンパクト容器の分解説明図である。
【００２３】
図２において蝶番軸５ａはＵ字形を形成し、図４（Ａ）に示されるように軸着部７ａと保持部９ａを有する。軸着部７ａは直線状をなし蓋蝶番片１１の筒孔に回動可能に挿入される。また保持部９ａは容器本体３に位置決め固定される。
【００２４】
蓋蝶番片１１はアルミ等からなる金属製薄板で成形され、蓋蝶番片１１の中心軸Ｌ１は蓋体１および容器本体３の蓋蝶番片１１に相対する外側面に一致するよう配されている。
【００２５】
図２（Ｂ）に示されるように器内枠３２ａの軸設定部９５ａには筒状の蓋蝶番片１１の中心軸Ｌ１と平行に保持部９ａを挿入し位置決めする軸設定孔３３が開口されている。Ｕ字状の蝶番軸５ａを形成する軸着部７ａと保持部９ａとは互いに平行となる直線部分を有すると共に軸着部７ａは保持部９ａより僅か長く形成される。軸着部７ａは矢印Ｃにしたがって先端を蓋蝶番片１１に僅か挿入することで蝶番軸５ａを蓋蝶番片１１から落下しないように係止できる。保持部９ａは矢印Ｂにしたがって先端を軸設定孔３３に位置合わせされる。保持部９ａを軸設定孔３３に挿入する際に、蓋蝶番片１１への挿入位置決めは既に終えていることから保持部９ａと軸設定孔３３の位置決めのみで良く蓋体１と器内枠３２ａとの組立ては容易となる。
【００２６】
図５（Ａ）は本発明にかかる蝶番軸の器内枠への装着説明図で図１（Ｂ）を器外枠５１ａの装着前に裏面から見た状態を示す。保持部９ａの先端を位置合わせされた蝶番軸５ａは図５（Ａ）に示されるように矢印Ｄ１、Ｄ２方向に装着され軸着部７ａ、保持部９ａを蓋蝶番片１１、軸設定孔３３の双方に嵌合する。
【００２７】
蓋蝶番片１１、軸設定孔３３の双方に嵌合された蝶番軸５ａは図２（Ａ）に示される蓋蝶番片１１の中心軸Ｌ１あるいは軸設定孔３３の中心軸Ｌ２を中心に回動可能にされる。従って蝶番軸５ａを蓋蝶番片１１、軸設定孔３３の双方に軸着する際に、蓋体１の側面と器内枠３２ａの側面の間隔が変動しても蝶番軸５ａを回動調整することで軸着を容易にする。
【００２８】
蓋蝶番片１１、軸設定孔３３の双方に蝶番軸５ａを嵌合した後に器外枠５１ａを器内枠３２ａの下方から装着する。この時器外枠５１ａの内面が器内枠３２ａの外面にガイドされる。保持部９ａは図２（Ａ）に示されるように器内枠３２ａの第一の当接部３７と器外枠５１ａの第二の当接部５７とで挟持固定される。また軸着部７ａと保持部９ａとの間隔は、軸設定孔３３と器外枠５１の外側面との水平距離より大きく形成することにより、保持部９ａを軸設定孔３３に挿着する際に器外枠５１ａの外側面は蓋体１の外側面とは当接しない。
【００２９】
第一の当接部３７は図２（Ａ）における器内枠３２ａを構成する内枠縁３５の蓋蝶番片１１に相対する外側下面に形成される。また第二の当接部５７は器外枠５１ａを構成する外枠縁５５の蓋蝶番片１１に相対する外側上面に形成される。そうして第一の当接部３７と第二の当接部５７による保持部９ａの挟持固定は中心軸Ｌ１、中心軸Ｌ２を中心とした回動を防止する。そのため蓋蝶番片１１の位置は蓋蝶番１１の中心軸Ｌ１は精度良く確定でき蓋体１、器外枠５１ａの外側面に一致させることができる。
【００３０】
また、器外枠５１ａには図２（Ａ）、図２（Ｂ）に示されるように抜止部９１が設けられている。抜止部９１は蓋蝶番片１１に回動可能に挿入された蝶番軸５ａの軸方向抜け落ちを防止すると共に蓋蝶番片１１の中心軸Ｌ１の軸蝶方向外方に突出する部分を被覆する。また被覆部分は構造強度をほとんど必要としない。そのため、０．５ミリメートル程度の被覆厚さがあれば十分であり、中心軸を蓋体１、器外枠５１ａの外側面に一致させた蓋蝶番１１は図１（Ａ）に例示されるように蓋体１、容器本体３の外側にほとんど突出しない。さらに蝶番軸５ａの突出する部分を被覆することにより蝶番軸５ａの地肌、切り落とし部分等外観と整合しない屈曲形状が視認されず自由な外観デザインを表現できる。
【００３１】
図３は本発明にかかるコンパクト容器蝶番部の第二の説明図である。記号３２ｂは軸設定部９５ｂの内側に軸嵌合部３９を設けた器内枠３１の他の例を示す。図３（Ａ）は、図３（Ｂ）に示される軸設定部９５ｂの外側面に沿った断面で図１（Ａ）における仮想平面Ｆを矢印Ｓ方向から見た断面図を示す。図３（Ｂ）は図３（Ａ）にかかるコンパクト容器の分解説明図である。以降図３において図２と同一記号は同一名称、同一部材を示すため重複する説明は省略する。
【００３２】
図３では器内枠３２ｂの裏面側に軸嵌合部３９を形成している。図３（Ｂ）において軸着部７ａは図２（Ｂ）の矢印Ｃと同様に矢印Ｅに従い蓋蝶番片１１に回動可能に挿着される。また蝶番軸５ａの保持部９ａは下方より矢印Ｄ方向に嵌合される。次いで器外枠５１ｂを器内枠３２ｂの外側に嵌合し容器本体３を形成する。器外枠５１ｂ内底面には落下防止部５９が設けられており保持部９ａの下方脱落やがたつきの防止をする。さらに第一の当接部３７、第二の当接部５７による挟持により図２の軸設定孔３３と同様位置決めをすることができる。
【００３３】
尚、図３における落下防止部５９とは別に軸嵌合部３９の下方開口側に保持部９ａを押し込める程度に僅か狭める嵌合突起４１を形成することも良い。
【００３４】
また、図３ではＵ字状に曲げられた蝶番軸５ａを用いているが本発明にかかる蝶番軸の器内枠への装着説明図である図５（Ｂ）に示すようにクランク状の蝶番軸５ｂでも良い。図５（Ｂ）は本発明にかかる蝶番軸の器内枠への装着説明図で図１（Ｂ）を器外枠５１ｂの装着前に裏面から見た状態を示す。
【００３５】
図５（Ｂ）で図３（Ａ）、図３（Ｂ）のように軸設定部９５ｃの内側に軸嵌合部３９を設けることはＵ字状の蝶番軸５ａの保持部９ａ又はクランク状の蝶番軸５ｂの保持部９ｂを器内枠３２ｂの裏面側から嵌合を可能にする。
【００３６】
さらに、軸嵌合部３９は図５（Ｂ）に例示するように開口面積が大きい事から蝶番軸５ｂの位置合わせが容易となる。また蓋蝶番片１１の正規位置まで一回で挿入でき組立て作業能率を向上できる。さらに、嵌合突起４１は軸嵌合部３９の開口端内側に形成される突起で、軸嵌合部３９に挿着された保持部９ａが容易に抜け落ちることのないように保持する。図５（Ｂ）の状態のまま保持部９ｂ、保持部９ａを軸嵌合部３９に嵌合できることで、装着時に誤って器内枠３２ｂや蓋体１に付けてしまう僅かな傷が外観に影響を与えることはない。
【００３７】
尚、器内枠３２ａと器外枠５１ａあるいは器内枠３２ｂと器外枠５１ｂは双方を熱融着や接着剤による接着、アンダーカット嵌合等により一体に組み合わせる事も良いものである。
【００３８】
また上記説明では抜止部９１は図１（Ａ）に示される様に容器本体３の外側面に僅か突出して設けられた状態で説明してきた。本発明はこれに限定されるものではなく蓋蝶番１１の中心軸Ｌ１が容器本体３の蓋蝶番片１１側の外側面より内側に設けられるなどで抜止部９１は外部から視認できないよう容器本体３の内側に設けることも良いものである。この場合、抜止部９１は軸嵌合部３９又は軸設定部９５が設けられていない器内枠３ａ又は器内枠３ｂに設けられるものである。
【００３９】
尚、上記説明では軸設定孔３３あるいは軸嵌合部３９を器内枠３２ａ、３２ｂに設けることを前提に説明を加えてきたが、軸設定孔３３あるいは軸嵌合部３９を器外枠５１ａ、５１ｂに設けることも良いものである。
【００４０】
以上説明のとおり、本発明粉状化粧料容器にあっては発明の効果の欄に記載する効果を有する。
【符号の説明】
【００４１】
１・・・・蓋体
３・・・・容器本体
５・・・・蝶番軸
７・・・・軸着部
９・・・・保持部
１１・・・蓋蝶番片
３１・・・器内枠
３２・・・器内枠
３３・・・軸設定孔
３５・・・内枠縁
３７・・・第一の当接部
３９・・・軸嵌合部
４１・・・嵌合突起
５１・・・器外枠
５５・・・外枠縁
５７・・・第二の当接部
５９・・・落下防止部
９１・・・抜止部
９５・・・軸設定部
【図１】
0005477764.tif 000002
【図２】
0005477764.tif 000003
【図３】
0005477764.tif 000004
【図４】
0005477764.tif 000005
【図５】
0005477764.tif 000006